(57)【要約】【課題】加熱コイル前方のトッププレート下の操作回路部と表示部の冷却性能を向上する誘導加熱調理器を提供する。【解決手段】加熱コイル１３前方でかつトッププレート１１下方に配置した、動作状態の表示部１９および加熱コイル１３を動作させる操作回路部２０を、補助ファン２９を有しかつ主ファン１８からの風路となる操作ダクト２８に装備し、この操作ダクト２８へ供給される補助ファン２９による送風と主ファン１８からの送風により操作ダクト２８において表示部１９と操作回路部２０を冷却するようにしたものである。これによって、制御回路部１６や加熱コイル１３などに加え、トッププレート１１の上面前方（手前）で操作するための要冷却部品、すなわち表示部１９および操作回路部２０をも効率よく冷却することができる。【選択図】図１
2006202624.tif 000002
【特許請求の範囲】
【請求項１】
外郭を構成する本体外郭と、本体外郭の上部に設けた被加熱物を載置するトッププレートと、トッププレートの下部に設けた被加熱物を誘導加熱する加熱コイルと、加熱コイルへ電流を供給する制御回路部と、加熱コイルと制御回路部を冷却すべく送風する主ファンと、加熱コイル前方でかつトッププレート下方に配置した、動作状態の表示部および加熱コイルを動作させる操作回路部とを備え、前記表示部と操作回路部は、補助ファンを有しかつ主ファンからの風路となる操作ダクトに装備し、この操作ダクトへ供給される補助ファンによる送風と主ファンからの送風により操作ダクトにおいて表示部と操作回路部を冷却するようにした誘導加熱調理器。
【請求項２】
操作ダクトは、その一部を外気と連通させた請求項１に記載の誘導加熱調理器。
【請求項３】
操作ダクトは、トッププレート下面に送風の一部を案内する案内部を設けた請求項１または２に記載の誘導加熱調理器。
【請求項４】
表示部と対向する操作ダクトの上方に表示穴を設けるとともに、表示穴の周囲とトッププレート下面との間に隙間を封止する封止体を配した請求項１〜３のいずれか１項に記載の誘導加熱調理器。
【請求項５】
操作ダクトは、その一部を本体外郭の側面を通して外気と連通させた請求項１〜４のいずれか１項に記載の誘導加熱調理器。
【請求項６】
補助ファンを操作ダクトの風下側に設け、補助ファンから加熱コイルへ向けて送風するようにした請求項１〜５のいずれか１項に記載の誘導加熱調理器。
【請求項７】
補助ファンを操作ダクトの風下側に設け、補助ファンからトッププレート下面へ向けて送風するようにした請求項１〜５のいずれか１項に記載の誘導加熱調理器。
【請求項８】
本体外郭内にロースターを備えるとともに、補助ファンを操作ダクトの風下側に設け、補助ファンから本体外郭とロースター間へ向けて送風するようにした請求項１〜５のいずれか１項に記載の誘導加熱調理器。
【発明の詳細な説明】
【技術分野】
【０００１】
本発明は、例えば、システムキッチンのキャビネットに組み込んで使用するような構成の誘導加熱調理器に関するものである。
【背景技術】
【０００２】
従来、この種の誘導加熱調理器として、本体外郭内の制御回路部などを送風により冷却することは一般的に行われている（例えば、特許文献１参照）。
【０００３】
図１１は、この従来の誘導加熱調理器を示すものである。図に示すように、本体外郭６の上部に被加熱物である鍋などを載置するトッププレート１があり、そのトッププレート１の下には、左右手前に２口の加熱コイル２が置かれている。また、本体外郭６内の左側にロースター３が置かれ、ロースター３の右側には、加熱コイル２を駆動制御する制御回路部４が配されている。制御回路部４の奥にはモータで駆動するファン５が取り付けられている。そして、ファン５の吐出口は制御回路部４に向けた構成としており、トッププレート１の右後方に設けられた吸気開口部７から外気が入り、ファン５に吸い込まれ、吐出した空気は、制御回路部４に向けて吹き付けられ、制御回路部４を冷却し、その後、加熱コイル２およびロースター３の外郭を通って各部を冷却しながら、トッププレート１の左後方に設けられた排気口８から空気を排出する構成になっている。
【特許文献１】特開２００１−２６７０５４号公報
【発明の開示】
【発明が解決しようとする課題】
【０００４】
しかしながら、前記従来の構成では、ファン５からの送風により制御回路部４や加熱コイル２などを冷却することはできるが、本体外郭６内の要冷却部品のすべてを冷却するための配慮がなされているものではない。このため、ファン５から遠い位置に配された要冷却部品の冷却は困難である。特に、最近ではトッププレート１の上面前方（手前）で操作できる商品に対する市場の要望が高く、これらの商品においては操作のための要冷却部品の冷却をどうするかが課題であった。
【０００５】
本発明は、前記従来の課題を解決するもので、制御回路部や加熱コイルなどに加え、トッププレートの上面前方（手前）で操作するための要冷却部品をも効率よく冷却することができる誘導加熱調理器を提供することを目的とする。
【課題を解決するための手段】
【０００６】
前記従来の課題を解決するために、本発明の誘導加熱調理器は、加熱コイル前方でかつトッププレート下方に配置した、動作状態の表示部および加熱コイルを動作させる操作回路部を、補助ファンを有しかつ主ファンからの風路となる操作ダクトに装備し、この操作ダクトへ供給される補助ファンによる送風と主ファンからの送風により操作ダクトにおいて表示部と操作回路部を冷却するようにしたものである。
【０００７】
これによって、制御回路部や加熱コイルなどに加え、トッププレートの上面前方（手前）で操作するための要冷却部品、すなわち表示部および操作回路部をも効率よく冷却することができる。
【発明の効果】
【０００８】
本発明の誘導加熱調理器は、制御回路部や加熱コイルなどに加え、トッププレートの上面前方（手前）で操作するための表示部および操作回路部をも効率よく冷却することができる。
【発明を実施するための最良の形態】
【０００９】
第１の発明は、外郭を構成する本体外郭と、本体外郭の上部に設けた被加熱物を載置するトッププレートと、トッププレートの下部に設けた被加熱物を誘導加熱する加熱コイルと、加熱コイルへ電流を供給する制御回路部と、加熱コイルと制御回路部を冷却すべく送風する主ファンと、加熱コイル前方でかつトッププレート下方に配置した、動作状態の表示部および加熱コイルを動作させる操作回路部とを備え、前記表示部と操作回路部は、補助ファンを有しかつ主ファンからの風路となる操作ダクトに装備し、この操作ダクトへ供給される補助ファンによる送風と主ファンからの送風により操作ダクトにおいて表示部と操作回路部を冷却するようにした誘導加熱調理器としたことにより、制御回路部や加熱コイルなどに加え、トッププレートの上面前方（手前）で操作するための要冷却部品、すなわち表示部および操作回路部をも効率よく冷却することができる。
【００１０】
第２の発明は、特に、第１の発明において、操作ダクトは、その一部を外気と連通させたことにより、操作ダクト内に外気も取り込むことができ、取り込んだ温度の低い外気を含んだ冷却風を表示部と操作回路部に送り、表示部と操作回路部の冷却性能を向上することができる。
【００１１】
第３の発明は、特に、第１または第２の発明において、操作ダクトは、トッププレート下面に送風の一部を案内する案内部を設けたことにより、トッププレート上面で加熱された鍋などの被加熱物の伝導熱を冷却し、表示部および操作回路部への熱影響を低減し、表示部と操作回路部の冷却性能を向上することができる。
【００１２】
第４の発明は、特に、第１〜第３のいずれか１つの発明において、表示部と対向する操作ダクトの上方に表示穴を設けるとともに、表示穴の周囲とトッププレート下面との間に隙間を封止する封止体を配したことにより、本体外郭内の他からの温まった風が表示部上面に吹き付けることを防ぎ、表示部の冷却性能を向上できるとともに、風に乗ってきた塵が表示部に付着することを防ぐことができる。
【００１３】
第５の発明は、特に、第１〜第４のいずれか１つの発明において、操作ダクト２８は、その一部を本体外郭の側面を通して外気と連通させたことにより、ロースターなどに影響されない温度の低い外気を取り込むことができ、これを操作ダクト内で表示部と操作回路部に送り、表示部と操作回路部の冷却性能を向上することができる。
【００１４】
第６の発明は、特に、第１〜第５のいずれか１つの発明において、補助ファンを操作ダクトの風下側に設け、補助ファンから加熱コイルへ向けて送風するようにしたことにより、冷却風を表示部と操作回路部に効率よく送ることができることはもちろんのこと、加熱コイルへも冷却風を吹き付けることができ、表示部と操作回路部および加熱コイルの冷却性能を向上することができる。
【００１５】
第７の発明は、特に、第１〜第５のいずれか１つの発明において、補助ファンを操作ダクトの風下側に設け、補助ファンからトッププレート下面へ向けて送風するようにしたことにより、冷却風を表示部と操作回路部に効率よく送ることができることはもちろんのこと、トッププレートへも冷却風を吹き付けることができ、表示部と操作回路部の冷却性能を向上することができるとともに、使用者が触れる可能性があるトッププレートの温度を低減し、より安全に使用することができる。
【００１６】
第８の発明は、特に、第１〜第５のいずれか１つの発明において、本体外郭内にロースターを備えるとともに、補助ファンを操作ダクトの風下側に設け、補助ファンから本体外郭とロースター間へ向けて送風するようにしたことにより、冷却風を表示部と操作回路部に効率よく送ることができることはもちろんのこと、本体外郭とロースター間へも冷却風を吹き付けることができ、表示部と操作回路部の冷却性能を向上することができるとともに、ロースターからの本体外郭への熱影響を低減し本体外郭の温度を下げることができ、より安全に使用することができる。
【００１７】
以下、本発明の実施の形態について、図面を参照しながら説明する。なお、本実施の形態によって本発明が限定されるものではない。
【００１８】
（実施の形態１）
図１、図２は、本発明の実施の形態１における誘導加熱調理器を示すものである。
【００１９】
この誘導加熱調理器は、一例として、システムキッチンのキャビネットに組み込んで使用する構成のものを示している。
【００２０】
図に示すように、本実施の形態における誘導加熱調理器は、外郭を構成する本体外郭１２と、本体外郭１２の上部に設けた鍋、フライパンなどの被加熱物を載置するトッププレート１１と、トッププレート１１の下部に設けた被加熱物を誘導加熱する加熱コイル１３と、加熱コイル１３へ電流を供給し駆動制御する制御回路部１６と、加熱コイル１３と制御回路部１６を冷却すべく送風するシロッコファンよりなる主ファン１８と、加熱コイル１３前方でかつトッププレート１１下方に配置した、液晶による動作状態の表示部１９および加熱コイル１３を動作させる操作回路部２０とを備えている。
【００２１】
前記本体外郭１２は、その内部の左下方にロースター１５を備えており、その右側に制御回路部１６が樹脂製のベースに固定され配置されている。加熱コイル１３は、出力定格が３ＫＷである左加熱コイル１３ａと、出力定格が２ＫＷである右加熱コイル１３ｂよりなっており、左加熱コイル１３ａと右加熱コイル１３ｂの中央奥には１口のラジェントヒータ１４が配置されている。前記ロースター１５は左加熱コイル１３ａの下方に位置するものである。
【００２２】
そして、本体外郭１２の上面右後方に吸気開口部１７ａを配し、上面左後方に排気開口部１７ｂを設けている。吸気開口部１７ａの下方でかつ制御回路部１６の後方に、本体外郭１２内部へ送風する主ファン１８が配置されている。
【００２３】
さらに、前記表示部１９と操作回路部２０は、プロペラファンからなる補助ファン２９を有しかつ操作ケース下２４と操作ケース上２５とで構成し主ファン１８からの風路となる操作ダクト２８に装備し、この操作ダクト２８へ供給される補助ファン２９による送風と主ファン１８からの送風により操作ダクト２８において表示部１９と操作回路部２０を冷却するようにしている。
【００２４】
ここで、表示部１９と操作回路部２０は、トッププレート１１下方で、左、右加熱コイル１３ａ、１３ｂの前方にそれぞれ設けてある。操作回路部２０にはトッププレート１１裏面に接するように弾力性を持つ形状をもって金属の薄板で構成した接点部２１が接続されている。そして、接点部２１の上方におけるトッププレート１１の上表面に印刷された操作キー２２に使用者が触れることで、表面接触による静電容量変化を操作回路部２０で検出してその信号をマイコンで処理し動作させる構成となっている。この操作キー２２の操作により被加熱物への加熱入力を大きくしたり小さくしたり、または加熱入り切りなどの動作をさせ、動作状態を液晶表示により表示部１９に表示し、表示部１９の直上におけるトッププレート１１の印刷を抜いた略透明の表示窓部２３を通して使用者に知らせることができる。
【００２５】
特に、左右加熱コイル１３ａ、１３ｂの前方、すなわち調理している左右の被加熱物の前方に操作キー２２と表示部１９が配置されているため、被加熱物内の調理状態を見ながらキー操作を容易に行うことができる。
【００２６】
また、表示部１９は、操作回路部２０にハンダ付けにより接続されている。そして、表示部１９を含む操作回路部２０は、操作ケース下２４で支持され、表示部１９と操作回路部２０の上部でかつトッププレート下方に位置する操作ケース上２５でカバーされて内部に収められ操作ダクト２８に装備されている。この操作ダクト２８は操作ケース下２４と操作ケース上２５とで構成され、左右端に右開口部２６と左開口部２７を有する。さらに、補助ファン２９は操作ダクト２８内の略中央に設けてあり、駆動されると、本体外郭１２の前からみて右から左に風流れ方向ができるようになっている。
【００２７】
次に、本実施の形態における誘導加熱調理器の主ファン１８、補助ファン２９の冷却風の流れについて説明する。
【００２８】
まず、主ファン１８が駆動されると、トッププレート１１の後方に設けられた吸気開口部１７ａから外気が入り、主ファン１８から吐出した空気は、制御回路部１６に向けて吹き付け、特に、制御回路部１６にあるスイッチング素子やダイオードブリッジを冷却する構成をとっている。その後、制御回路部１６上方の右加熱コイル１３ｂから左加熱コイル１３ａおよびロースター１５の外郭へ冷却風が流れ、最後に排気開口部１７ｂより本体外郭１２外へ出て行く冷却風経路を形成している。したがって、本実施の形態では、風上側の加熱コイル１３は右加熱コイル１３ｂであり、風下側加熱コイル１３は左加熱コイル１３ａに相当する。
【００２９】
次に、補助ファン２９の冷却風の流れについて説明する。まず、トッププレート１１の後方に設けられた吸気開口部１７ａから外気が入り、主ファン１８から吐出した空気は、制御回路部１６を通り、右加熱コイル１３ｂ前方の操作回路部２０近傍に流れ出る。この流れ出た空気を補助ファン２９により、操作ダクト２８の右開口部２６より吸い込み、吸い込まれた空気は右加熱コイル１３ｂ前方にある操作回路部２０と表示部１９を通過して冷却し、つづいて、左加熱コイル１３ａ前方の操作回路部２０と表示部１９を通過して冷却し、操作ダクト２８の左開口部２７より出て、主ファン１８の冷却風経路と合流し、排気開口部１７ｂより本体外郭１２外へ排出される。
【００３０】
特に、本実施の形態では、左側にロースター１５が設けられているので、操作ダクト左側はロースター使用時温度が高くなる。したがって、本実施の形態のように、操作ダクト２８右側の右開口部２６の方が、ロースター１５の熱影響を受けにくく、冷却風の吸い込みとして適している。
【００３１】
近年、操作が腰をかがめず、また調理状態をみながら操作できるよう、被加熱物に近い本体外郭１２上面で操作をしたいという市場の要望が強まっており、そのためには本実施の形態のように、左、右加熱コイル１３ａ、１３ｂの前方に操作する操作回路部２０や動作を表示する表示部１９を配する必要がある。また、近年、誘導加熱調理器においても高火力化が望まれている。そのため、今までの２口の加熱コイル１３の出力定格は共に２ＫＷであったが、加熱コイル１３の出力定格を２．５ＫＷや３ＫＷとすることが多くなってきている。これにより、加熱コイル１３の近傍で、特に、加熱コイル１３や被加熱物からの熱影響を受けやすく、主ファン１８の冷却風の風下側にあたる操作回路部２０や表示部１９を配した箇所は、最も部品冷却が困難な箇所となっている。さらに、操作回路部２０や表示部１９に使われる部品、例えば、表示部１９であれば液晶表示用ＬＣＤ、操作回路部２０であればマイコンといった部品は、使用温度限度が両者とも８５℃以下となっており、被加熱物からの熱伝導や加熱コイル１３からの熱影響に対して、この部品を約５０℃になる制御回路部１６を通過した冷却風で使用温度限度内に収めることは大変難しい。温度上昇を抑えるためには、次式より、温度上昇を抑えたい箇所を通る風量を多くすることで解決できることがわかる。
【００３２】
△Ｔ∝Ｗ／Ｑ
（△Ｔ：温度上昇［Ｋ］、Ｗ：熱量［Ｗ］、Ｑ：風量［ｍ３／ｍｉｎ］）
補助ファン２９を用いる前は、ＬＣＤは１００℃、マイコンは８５℃であったが、本実施の形態のように操作回路部２０と表示部１９を操作ダクト２８内に収め、操作ダクト２８内に設けた補助ファン２９を動作させることにより、補助ファン２９を用いないときの約２倍の冷却風量を通過させることができるとともに、効率よく操作回路部２０と表示部１９に冷却風をあてることができ、部品温度もＬＣＤ７５℃、マイコン６５℃とすることができた。
【００３３】
以上のように、本実施の形態においては、操作回路部２０と表示部１９を操作ダクト２８に装備し、操作ダクト２８内に設けた補助ファン２９を動作させることにより、表示部１９や操作回路部２０の温度上昇を抑え、冷却性能を向上できる。また使用温度限度内での部品使用を実現でき、信頼性を向上することができる。
【００３４】
（実施の形態２）
図３、図４は、本発明の実施の形態２における誘導加熱調理器を示すものである。実施の形態１と同一要素については同一符号を付してその説明を省略する。
【００３５】
本実施の形態において、実施の形態１との相違点は、本体外郭１２の略中央より主ファン１８側の前方、すなわち本体外郭１２の前面の右側に本体外郭前穴３０を設け、操作ケース上２５と操作ケース下２４により、本体外郭前穴３０につながる本体外郭前穴連結ダクト部３１を形成し、補助ファン２９を本体外郭前穴連結ダクト部３１よりも主ファン１８の風下側、すなわち左加熱コイル１３ａ側に配置したことである。つまり、操作ダクト２８の一部を外気と連通させたことである。
【００３６】
ここで、補助ファン２９の冷却風の流れについて説明する。
【００３７】
まず、実施の形態１と同様に、トッププレート１１の後方に設けられた吸気開口部１７ａから外気が入り、主ファン１８から吐出した空気は、制御回路部１６を通り、右加熱コイル１３ｂ前方の操作回路部２０近傍に流れ出る。この流れ出た空気を操作ダクト２８の本体外郭１２に向かって右側の右開口部２６より吸い込むとともに、本体外郭前穴連結ダクト部３１を通って本体外郭前穴３０からも外気が操作ダクト２８内に吸い込まれる。吸い込まれた空気は右加熱コイル１３ｂ前方にある操作回路部２０と表示部１９を通過して冷却し、つづいて、左加熱コイル１３ａ前方の操作回路部２０と表示部１９を通過して冷却し、操作ダクト２８の左開口部２７より出て、主ファン１８の冷却風経路と合流し、排気開口部１７ｂより本体外郭１２外へ排出される。
【００３８】
特に、本実施の形態では、本体外郭１２の左側にはロースター１５が設けられているので、本体外郭１２の左側前部はロースター使用時温度が高くなる。本実施の形態のように、本体外郭１２の右側の本体外郭前穴３０であれば、ロースター１５を使用しても本体外郭前穴３０の温度は約４０℃と低く、温度の低い外気を取り込んで冷却風として使用するには本体外郭１２の右前箇所が大変適している。
【００３９】
以上のように、本実施の形態においては、操作ダクト２８の一部を外気と連通させたことで、外気も取り込むことができ、取り込んだ温度の低い外気を含んだ冷却風を、操作ダクト２８を通して、表示部１９と操作回路部２０に効率よく送ることができ、表示部１９と操作回路部２０の冷却性能を向上することができる。
【００４０】
（実施の形態３）
図５は、本発明の実施の形態３における誘導加熱調理器を示すものである。実施の形態１と同一要素については同一符号を付してその説明を省略する。
【００４１】
本実施の形態において、実施の形態１との相違点は、補助ファン２９の排気側で、主ファン１８の風下側、すなわち補助ファン２９の左側の操作ケース上２５に操作ケース上穴３２を設け、操作ケース上穴３２の補助ファン２９風下側に補助ファン２９の風路を操作ケース上穴３２に向ける防風壁を有する案内部３３を設けたことである。つまり、操作ダクト２８には、トッププレート１１下面へ送風の一部を案内する案内部３３を設けたことである。
【００４２】
ここで、補助ファン２９の冷却風の流れについて説明する。
【００４３】
まず、トッププレート１１の後方に設けられた吸気開口部１７ａから外気が入り、主ファン１８から吐出した空気は、制御回路部１６を通り、右加熱コイル１３ｂ前方の操作回路部２０近傍に流れ出る。この流れ出た空気を操作ダクト２８の本体外郭１２に向かって右側の右開口部２６より吸い込み、吸い込まれた空気は右加熱コイル１３ａ前方にある操作回路部２０と表示部１９を通過して冷却し、つづいて、左加熱コイル１３ｂ前方の操作回路部２０と表示部１９を通過して冷却し、操作ダクト２８の左開口部２７より出るとともに、案内部３３により操作ケース上穴３２からも排出され、風下側の操作ダクト２８上部のトッププレート１１裏面を流れ、主ファン１８の冷却風経路と合流し、排気開口部１７ｂより本体外郭１２外へ排出される。
【００４４】
以上のように、本実施の形態においては、補助ファン２９の排気側から風下側の操作ダクト２８の上部に流れる風路を形成したことで、トッププレート１１上面で加熱された被加熱物の伝導熱を冷却し、表示部１９および操作回路部２０への熱影響を低減し、表示部１９と操作回路部２０の冷却性能を向上することができる。また、本実施の形態では、トッププレート１１に印刷された操作キー２２をタッチし、表面接触による静電容量変化を操作回路部２０で検出してその信号をマイコンで処理し動作させるものであり、この場合、使用者が操作するトッププレート１１表面の操作キー２２の温度は６０℃以下に収めるように法規で決められている。したがって、特に、温度が高くなる風下側の操作ダクト２８の上部に冷却風を流すことで、操作キー２２を効率よく冷却し、冷却性能を向上することができる。
【００４５】
（実施の形態４）
図６は、本発明の実施の形態４における誘導加熱調理器を示すものである。実施の形態１と同一要素については同一符号を付してその説明を省略する。
【００４６】
本実施の形態において、実施の形態１との相違点は、操作ダクト２８を構成する操作ケース上２５の表示部１９上方に表示穴３４を設けるとともに、表示穴３４の周囲とトッププレート１１下面との間に隙間を封止する封止体３５を配したことである。
【００４７】
この封止体３５により、本体外郭１２内の加熱コイル１３や制御回路部１６などからの熱い風が表示部１９上面に吹き付けることを防ぐことができる。
【００４８】
以上のように、本実施の形態においては、封止体３５により、本体外郭１２内の加熱コイル１３や制御回路部１６などからの熱い風が表示部１９上面に吹き付けることを防ぐことができ、操作ダクト２８内に流れる冷却風による表示部１９の冷却性能を向上することができるとともに、風に乗ってきた塵が表示部１９の上面に付着することを防ぐことができる。
【００４９】
（実施の形態５）
図７は、本発明の実施の形態５における誘導加熱調理器を示すものである。実施の形態１と同一要素については同一符号を付してその説明を省略する。
【００５０】
本実施の形態において、実施の形態１との相違点は、本体外郭１２の主ファン１８側、すなわち本体外郭１２の右側面で、操作ダクト２８の右開口部２６に対向する位置に、本体外郭側面穴３６を設け、右開口部２６に補助ファン２９を配したことである。つまり、操作ダクト２８は、その一部を本体外郭１２の側面を通して外気と連通させたことである。
【００５１】
ここで、補助ファン２９の冷却風の流れについて説明する。
【００５２】
まず、実施の形態１と同様にトッププレート１１の後方に設けられた吸気開口部１７ａから外気が入り、主ファン１８から吐出した空気は、制御回路部１６を通り、右加熱コイル１３ｂ前方の操作回路部１６近傍に流れ出る。この流れ出た空気を操作ダクト２８の右側の右開口部２６より補助ファン２９により吸気するとともに、本体外郭側面穴３６からも外気が補助ファン２９により吸気され、操作ダクト２８内に吸い込まれる。吸い込まれた空気は右加熱コイル１３ｂ前方にある操作回路部２０と表示部１９を通過し、つづいて、左加熱コイル１３ａ前方の操作回路部２０と表示部１９を通過して冷却し、操作ダクト２８の左開口部２７より出て、主ファン１８の冷却風経路と合流し、排気開口部１７ｂより本体外郭１２外へ排出される。
【００５３】
特に、本実施の形態では、本体外郭１２の左側にはロースター１５が設けられているので、本体外郭１２の左側前部はロースター使用時温度が高くなる。本実施の形態のように、本体外郭１２右側の本体外郭側面穴３６であれば、ロースター１５を使用しても本体外郭側面穴３６の温度は約４０℃と低く、温度の低い外気を取り込んで冷却風として使用するには本体外郭１２の右側箇所が大変適している。
【００５４】
以上のように、本実施の形態においては、操作ダクト２８は、その一部を本体外郭１２の側面を通して外気と連通させたことにより、ロースターなどに影響されない温度の低い外気を取り込むことができ、これを操作ダクト２８内で表示部１９と操作回路部２０に送り、表示部１９と操作回路部２０の冷却性能を向上することができる。
【００５５】
（実施の形態６）
図８は、本発明の実施の形態６における誘導加熱調理器を示すものである。実施の形態１と同一要素については同一符号を付してその説明を省略する。
【００５６】
本実施の形態において、実施の形態１との相違点は、操作ダクト２８の主ファン１８風下側の左開口部２７に補助ファン２９の吸気側を取り付け、補助ファン２９の排気口を加熱コイル１３、すなわち左加熱コイル１３ａの方に向け、左加熱コイル１３ａへ向けて送風するようにしたことである。
【００５７】
ここで、補助ファン２９の冷却風の流れについて説明する。
【００５８】
まず、トッププレート１１の後方に設けられた吸気開口部１７ａから外気が入り、主ファン１８から吐出した空気は、制御回路部１６を通り、右加熱コイル１３ｂ前方の操作回路部２０近傍に流れ出る。この流れ出た空気を操作ダクト２８の右開口部２６より吸い込み、吸い込まれた空気は右加熱コイル１３ｂ前方にある操作回路部２０と表示部１９を通過し、つづいて、左加熱コイル１３ａ前方の操作回路部２０と表示部１９を通過して冷却し、操作ダクト２８の左開口部２７に設けた補助ファン２９に吸気され、補助ファン２９から吹き出された冷却風は、補助ファン２９の排気側後方の左加熱コイル１３ａに吹き付けられ、主ファン１８の冷却風経路と合流し、排気開口部１７ｂより本体外郭１２外へ排出される。特に、左加熱コイル１３ａは主ファン１８の風下であり、冷却風を効率よく当てることが難しかった。しかし、本実施の形態では、補助ファン２９により冷却風を吹き付けることができる。
【００５９】
以上のように、本実施の形態においては、補助ファン２９を操作ダクト２８の風下側に設け、補助ファン２９から加熱コイル１３へ向けて送風するようにしたことにより、冷却風を表示部１９と操作回路部２０に効率よく送ることができることはもちろんのこと、加熱コイル１３へも冷却風を吹き付けることができ、表示部１９と操作回路部２０および加熱コイル１３の冷却性能を向上することができる。特に、加熱コイル１３を複数備えているものにおいて有効である。
【００６０】
（実施の形態７）
図９は、本発明の実施の形態７における誘導加熱調理器を示すものである。実施の形態１と同一要素については同一符号を付してその説明を省略する。
【００６１】
本実施の形態において、実施の形態１との相違点は、操作ダクト２８の主ファン１８風下側の左開口部２７に補助ファン２９の吸気側を取り付け、補助ファン２９の排気口を主ファン１８風下側の本体外郭１２側面上方のトッププレート１１に向けた構成としたことである。なお、本実施の形態では、補助ファン２９としてシロッコファンを用いている。これは、ファンの吸気と排気の方向が略直行するというファンの吸排気の特徴を利用することで、作用、効果を発揮するためである。
【００６２】
ここで、補助ファン２９の冷却風の流れについて説明する。
【００６３】
まず、トッププレート１１の後方に設けられた吸気開口部１７ａから外気が入り、主ファン１８から吐出した空気は、制御回路部１６を通り、右加熱コイル１３ｂ前方の操作回路部２０近傍に流れ出る。この流れ出た空気を操作ダクト２８の右開口部２６より吸い込み、吸い込まれた空気は右加熱コイル１３ｂ前方にある操作回路部２０と表示部１９を通過して冷却し、つづいて、左加熱コイル１３ａ前方の操作回路部２０と表示部１９を通過して冷却し、操作ダクト２８の左開口部２７に設けた補助ファン２９に吸気され、補助ファン２９から吹き出された冷却風は、主ファン１８風下側の本体外郭１２側面上方のトッププレート１１下面に吹き付けられ、主ファン１８の冷却風経路と合流し、排気開口部１７ｂより本体外郭１２外へ排出される。特に、主ファン１８風下側の本体外郭１２側面上方のトッププレート１１は主ファン１８の風下であり、冷却風を効率よく当てることが難しかった。しかし、本実施の形態では、本体外郭１２側面上方のトッププレート１１に補助ファン２９により冷却風を吹き付けることができる。
【００６４】
以上のように、本実施の形態においては、補助ファン２９を操作ダクト２８の風下側に設け、補助ファン２９からトッププレート１１下面へ向けて送風するようにしたことにより、冷却風を表示部１９と操作回路部２０に効率よく送ることができることはもちろんのこと、トッププレート１１へも冷却風を吹き付けることができ、表示部１９と操作回路部２０の冷却性能を向上することができるとともに、使用者が触れる可能性があるトッププレート１１の温度を低減し、より安全に使用することができる。
【００６５】
（実施の形態８）
図１０は、本発明の実施の形態８における誘導加熱調理器を示すものである。実施の形態１と同一要素については同一符号を付してその説明を省略する。
【００６６】
本実施の形態において、実施の形態１との相違点は、操作ダクト２８の主ファン１８風下側の左開口部２７に補助ファン２９の吸気側を取り付け、補助ファン２９の排気口を主ファン１８風下側の本体外郭１２側面と風下側のロースター１５側面との間に向けた構成としたことである。なお、本実施の形態では、実施の形態７と同様、補助ファン２９としてシロッコファンを用いている。これは、ファンの吸気と排気の方向が略直行するというファンの吸排気の特徴を利用することで、作用、効果を発揮するためである。
【００６７】
ここで、補助ファン２９の冷却風の流れについて説明する。
【００６８】
まず、トッププレート１１の後方に設けられた吸気開口部１７ａから外気が入り、主ファン１８から吐出した空気は、制御回路部１６を通り、右加熱コイル１３ｂ前方の操作回路部２０近傍に流れ出る。この流れ出た空気を操作ダクト２８の右開口部２６より吸い込み、吸い込まれた空気は右加熱コイル１３ｂ前方にある操作回路部２０と表示部１９を通過して冷却し、つづいて、左加熱コイル１３ａ前方の操作回路部２０と表示部１９を通過して冷却し、操作ダクト２８の左側の左開口部２７に設けた補助ファン２９に吸気され、補助ファンから吹き出された冷却風は、主ファン１８の風下側の本体外郭１２側面と風下側のロースター１５側面の間に吹き付けられ、主ファン１８の冷却風経路と合流し、排気開口部１７ｂより本体外郭１２外へ排出される。特に、主ファン１８風下側の本体外郭１２側面と風下側のロースター１５側面の間は主ファン１８の風下であり、冷却風を効率よく当てることが難しかった。しかし、本実施の形態では、本体外郭１２側面と風下側のロースター１５側面の間に補助ファン２９により冷却風を吹き付けることができる。
【００６９】
以上のように、本実施の形態においては、本体外郭１２内にロースター１５を備えるとともに、補助ファン２９を操作ダクト２８の風下側に設け、補助ファン２９から本体外郭１２とロースター１５間へ向けて送風するようにしたことにより、冷却風を表示部１９と操作回路部２０に効率よく送ることができることはもちろんのこと、本体外郭１２とロースター１５間へも冷却風を吹き付けることができ、表示部１９と操作回路部２０の冷却性能を向上することができるとともに、ロースター１５からの本体外郭１２への熱影響を低減し本体外郭１２の温度を下げることができ、より安全に使用することができる。
【００７０】
なお、上記した各実施の形態１〜８においては、加熱コイル１３として、左右加熱コイル１３ａ、１３ｂについて説明したが、単数または３以上の加熱コイルからなるものであってもよく、実施の形態に限られるものではない。
【産業上の利用可能性】
【００７１】
以上のように、本発明にかかる誘導加熱調理器は、制御回路部や加熱コイルなどに加え、トッププレートの上面前方（手前）で操作するための表示部および操作回路部をも効率よく冷却することができるので、ビルトイン型および卓上、据え置き型の誘導加熱調理器の用途に適用できる。
【図面の簡単な説明】
【００７２】
【図１】本発明の実施の形態１における誘導加熱調理器を示す分解斜視図
【図２】同誘導加熱調理器の要部構成を示す断面図
【図３】本発明の実施の形態２における誘導加熱調理器の斜視図
【図４】同誘導加熱調理器の要部構成を示す断面図
【図５】本発明の実施の形態３における誘導加熱調理器の要部構成を示す断面図
【図６】本発明の実施の形態４における誘導加熱調理器の要部構成を示す断面図
【図７】本発明の実施の形態５における誘導加熱調理器の斜視図
【図８】本発明の実施の形態６における誘導加熱調理器を示す分解斜視図
【図９】（ａ）本発明の実施の形態７における誘導加熱調理器の要部構成を示す断面図（ｂ）同側面図
【図１０】（ａ）本発明の実施の形態８における誘導加熱調理器の要部構成を示す断面図（ｂ）同側面図
【図１１】従来の誘導加熱調理器の内部の構成を示す分解斜視図
【符号の説明】
【００７３】
１１  トッププレート
１２  本体外郭
１３  加熱コイル
１３ａ  左加熱コイル
１３ｂ  右加熱コイル
１４  ラジェントヒータ
１５  ロースター
１６  制御回路部
１８  主ファン
１９  表示部
２０  操作回路部
２１  接点部
２２  操作キー
２６  右開口部
２７  左開口部
２８  操作ダクト
２９  補助ファン
３０  本体外郭前穴
３１  本体外郭前穴連結ダクト部
３２  操作ケース上穴
３３  案内部
３４  表示穴
３５  封止体
３６  本体外郭側面穴
【図１】
2006202624.tif 000003
【図２】
2006202624.tif 000004
【図３】
2006202624.tif 000005
【図４】
2006202624.tif 000006
【図５】
2006202624.tif 000007
【図６】
2006202624.tif 000008
【図７】
2006202624.tif 000009
【図８】
2006202624.tif 000010
【図９】
2006202624.tif 000011
【図１０】
2006202624.tif 000012
【図１１】
2006202624.tif 000013